(57)【特許請求の範囲】
【請求項１】
粘着シートの粘着面に貼付される離型紙の構造において、
上記粘着面の領域を二分して覆うように該粘着面に貼付される第１離型紙と第２離型紙とを備え、
上記第１離型紙は、端部で折り返される第１摘み片を有し、
上記第２離型紙は、上記第１摘み片の上に重ねられる第２摘み片を有し、
上記第１摘み片は、その端縁形状が、交互に連続する凸部と凹部とからなる凹凸線状で与えられており、
上記第２摘み片は、その端縁形状が、上記第１摘み片の端縁形状に対する相補形状で与えられており、
上記第１摘み片と第２摘み片は、互いの端縁における凸部どうし及び凹部どうしが、互いにずらされて配置されることを特徴とする粘着シートの離型紙構造。
【請求項２】
粘着シートの粘着面に貼付される離型紙の構造において、
上記粘着面の領域を二分して覆うように該粘着面に貼付される第１離型紙と第２離型紙とを備え、
上記第１離型紙は、端部で折り返される第１摘み片を有し、
上記第２離型紙は、上記第１摘み片の上に重ねられる第２摘み片を有し、
上記第１摘み片は、その端縁形状が、交互に連続する凸部と凹部とからなる凹凸線状で与えられており、
上記第２摘み片は、その端縁形状が、上記第１摘み片の端縁形状と同一形状で与えられており、
上記第１摘み片と第２摘み片は、互いの端縁における凸部どうし及び凹部どうしが、互いにずらされて配置されることを特徴とする粘着シートの離型紙構造。
【請求項３】
上記第２摘み片は、上記第１摘み片の折り返し長さに等しい長さで該第１摘み片の上に重ねられる、請求項１または２記載の粘着シートの離型紙構造。
【発明の詳細な説明】
【０００１】
【発明の属する技術分野】
本発明は、救急絆創膏や外用貼付剤等の粘着シートに取り付けられる離型紙の構造に関する。
【０００２】
【従来の技術】
上述のような救急絆創膏や外用貼付剤に取り付けられる離型紙の構造には、粘着面全面に単純に１枚の離型紙を取り付けたものと、剥離のしやすさと貼り付けの利便性を高めるように２枚の離型紙を取り付けたものが知られている。特に２枚の離型紙を取り付けたものでは、図１に示すように、一方の離型紙１０の端部を折り返しておき、他方の離型紙１１の端部をその上に重ねることによって、それぞれの離型紙１０，１１の端部が粘着面に対して付着していない状態にされている。このように、粘着面に付着していない帯状の部分１２，１３が、使用者が離型紙を剥し取るときに両手の指先でそれぞれ摘むことのできる部分、すなわち摘み片に形成されている。
【０００３】
ところで、従来の２枚タイプの離型紙構造では、離型紙１０，１１の付いた状態で粘着シート１４の両端を両手で摘みながらシートを湾曲させて上側の摘み片１３を浮き上がらせ、浮き上がった上側の摘み片１３を一方の手で摘んでその離型紙１１を途中まで剥しておき、次に、下側から現れた折り返された摘み片１２をもう一方の手で摘み、両手でそれぞれ摘んだ摘み片１２，１３を左右に開くようにして両方の離型紙１０，１１を粘着シート１４から剥し取ることができる。このように、２枚の離型紙１０，１１の摘み片１２，１３を上から順に摘めるように、すなわち、上下の摘み片１２，１３を一方の手で一度に摘んでしまうことなく、上側の摘み片１３だけを一方の手で確実に摘めるように、下側の折り返された摘み片１２よりも上側の摘み片１３の方を十分に長くしておく必要がある。このように構成しておくことで、使用者は上側の摘み片１３のエッジ１６に指の腹を当ててこれを捲るとき、下側の折り返された摘み片１２のエッジ１５に指の腹が同時に当たることがなく、確実に上側の摘み片１３だけを捲ることができる。
【０００４】
【発明が解決しようとする課題】
しかしなが、上述のような構成では、上側の摘み片１３を下側の折り返された摘み片１２よりも十分に長くしなければならない。離型紙材料については、できるだけ材料の無駄を省きたいところであるが、上側の摘み片１３を下側の折り返された摘み片１２よりも長くした部分が、いかにも材料を無駄使いしている感を否めない。また、両方の摘み片が不揃いなイメージも払拭されない。しかしながら、上側の摘み片１３を下側の折り返された摘み片１２と同じ長さにして両方のエッジを揃えると、上側の摘み片１３だけを捲ろうとしても両摘み片のエッジが簡単には分離せず、非常に捲りにくくなる。
【０００５】
したがって本発明は、粘着シートの２枚タイプの離型紙構造について、離型紙材料の無駄使いをなくしつつ、且つ簡単に上側の摘み片だけを捲ることのできる離型紙構造を提供するものである。
【０００６】
【課題を解決するための手段】
本発明に係る粘着シートの離型紙構造は、上述のような課題を解決するために以下のような構成を備えている。すなわち、粘着シートの粘着面に貼付される離型紙の構造において、上記粘着面の領域を二分して覆うように該粘着面に貼付される第１離型紙と第２離型紙とを備え、上記第１離型紙は、端部で折り返される第１摘み片を有し、上記第２離型紙は、上記第１摘み片の上に重ねられる第２摘み片を有し、上記第１摘み片は、その端縁形状が、交互に連続する凸部と凹部とからなる凹凸線状で与えられており、上記第２摘み片は、その端縁形状が、上記第１摘み片の端縁形状に対する相補形状で与えられており、上記第１摘み片と第２摘み片は、互いの端縁における凸部どうし及び凹部どうしが、互いにずらされて配置されている。
【０００７】
また、上記第２摘み片は、その端縁形状が、上記第１摘み片の端縁形状と同一形状で与えられていてもよい。
【０００８】
特に、上記第２摘み片は、上記第１摘み片の折り返し長さに等しい長さで該第１摘み片の上に重ねられるのが好ましい。
【０００９】
このように構成されていることにより、下側の第１摘み片と上側の第２摘み片とを殆ど同じ長さにしても（上側の第２摘み片が、下側の第１摘み片よりも少しぐらい長くされてもよい）、上側の摘み片の凸部と下側の摘み片の凸部とがずらして配置されているので、すなわち、上側の摘み片を捲ろうとして指の腹を上側の摘み片の凸部のエッジ部分に当てるとき、その指の腹は下側の摘み片の凸部のエッジ部分には当たらないので、上側の摘み片と下側の摘み片とが自然に分離され、上側の摘み片だけを捲ることができる。
【００１０】
特に、第２摘み片の端縁形状が、第１摘み片の端縁形状に対して相補形状で与えられる場合には、その端縁形状のエッジと同じ凹凸線状の刃を有するカッターで１枚の離型紙を切断することで第１および第２の２枚の離型紙を得ることができる。
【００１１】
【発明の実施の形態】
図２は、本発明に係る粘着シートの離型紙構造の要部を拡大して示す平面図である。スマッジングを施している方が上側の離型紙２１であり、スマッジングの施していない方が下側の離型紙２０である。また図３に、図２の粘着シートの離型紙構造を分解斜視図で示している。図中２４は粘着シートである。下側の離型紙２０の一方端は折り返されて摘み片２２とされており、その先端エッジ２５は滑らかに円弧が蛇行する凹凸線状にされている。一方、上側の離型紙２１も、その先端エッジ２６は滑らかに円弧が蛇行する凹凸線状にされている。このように相補的な凹凸線状のエッジ２５，２６を有する２枚の離型紙には、そのエッジと同じ凹凸線状の刃を有するカッターで１枚の離型紙を切断することで得られる２枚の離型紙を適用することができる。すなわち、生産ライン上で２枚の離型紙をそれぞれ供給する二つのラインを設ける必要はなく、１枚の離型紙を供給する単一のラインの途中でエッジと同じ形状の刃で切断し、これを２枚の離型紙として供給することができる。
【００１２】
上側離型紙２１の凸部の先端を結ぶ線と、下側離型紙２０の凸部の先端を結ぶ線とは一致し、それぞれの摘み片２２，２３は同じ長さである。上側離型紙２１の先端エッジ２６と下側離型紙２０の先端エッジ２５は、互いの凸部どうし凹部どうしが重ならないように、互いがずらされて配置されている。最も美的な配置としては、図２に示すように、上側離型紙２１の凸部と下側離型紙２０の凹部とが同じ位置で重なり、上側離型紙２１の凹部と下側離型紙２０の凸部とがそれぞれ同じ位置で重なっているのが好ましいであろう。
【００１３】
このように構成された離型紙構造では、上下の摘み片２２，２３は同じ長さにされていながら、その先端エッジ２５，２６は凸部と凹部とが互いにずらされて配置されているので、その先端エッジ２５，２６に使用者が指の腹を当てて捲ろうとするとき、上下の摘み片２２，２３を簡単に分離でき、上側離型紙２１の摘み片２３だけを捲り上げることができる。
【００１４】
図４および図５は、本発明に係る粘着シートの離型紙構造におけるそれぞれ別の実施形態の要部を拡大して示す平面図である。図４の実施形態では、下側の離型紙３０の一方端は折り返されて摘み片３２とされており、その先端エッジ３５は直線が折れ曲がってジグザグに蛇行する凹凸線状にされている。一方、上側の離型紙３１も、その先端エッジ３６は直線が折れ曲がってジグザグに蛇行する凹凸線状にされている。また図５の実施形態では、下側の離型紙４０の一方端は折り返されて摘み片４２とされており、その先端エッジ４５は凹状半円弧が連続する凹凸線状にされている。一方、上側の離型紙４１は、その先端エッジ４６が凸状半円弧の連続する凹凸線状にされている。いずれの場合も、上下の摘み片の先端エッジは互いに相補的な形状の凹凸線状に形成されており、このようなエッジを有する２枚の離型紙には、そのエッジと同じ凹凸線状の刃を有するカッターで１枚の離型紙を切断することで得られる２枚の離型紙を適用することができる。
【００１５】
また、例えば図５の例の下側離型紙４０における摘み片４２の先端エッジ４５を、図６のように、上側離型紙における摘み片の先端エッジと同じ凸状半円弧が連続する凹凸線状とすることも可能である。勿論、図７に示すように、上下の摘み片の先端エッジを共に凹状半円弧が連続する凹凸線状とすることも可能である。これらの場合、両方の先端エッジは互いに相補的な形状ではなく単に同一の凹凸線状を呈することになるが、図２や図４の例と同様に上下の両摘み片は同じ長さで双方の凹凸がずれた配置となる。
【００１６】
なお、上述の例はいずれも、上下の両摘み片は同じ長さで双方の凹凸がずれた配置となる例を示しているが、両摘み片が同じ長さにされるのは美的観点では最も好ましいであろうが、上側の摘み片が、下側の摘み片よりも少しぐらい長くされてもよいのは勿論である。
【００１７】
【発明の効果】
以上のように構成されていることにより、下側の摘み片と上側の摘み片とを殆ど同じ長さにしても、上側の摘み片の凸部と下側の摘み片の凸部とがずらして配置されているので、すなわち、上側の摘み片を捲ろうとして指の腹を上側の摘み片の凸部のエッジ部分に当てるとき、その指の腹は下側の摘み片の凸部のエッジ部分には当たらないので、上側の摘み片と下側の摘み片とが自然に分離され、上側の摘み片だけを捲ることができる。
【図面の簡単な説明】
【図１】  従来の粘着シートの離型紙構造を示す斜視図である。
【図２】  本発明に係る粘着シートの離型紙構造の要部を拡大して示す平面図である。
【図３】  図２の粘着シートの離型紙構造を示す斜視図である。
【図４】  本発明に係る粘着シートの離型紙構造における別の実施形態の要部を拡大して示す平面図である。
【図５】  本発明に係る粘着シートの離型紙構造における別の実施形態の要部を拡大して示す平面図である。
【図６】  本発明に係る粘着シートの離型紙構造における別の実施形態の要部を拡大して示す平面図である。
【図７】  本発明に係る粘着シートの離型紙構造における別の実施形態の要部を拡大して示す平面図である。
【符号の説明】
１０  下側の離型紙
１１  上側の離型紙
１２  下側の摘み片
１３  上側の摘み片
１４  粘着シート
１５  下側の摘み片の先端エッジ
１６  上側の摘み片の先端エッジ
２０  下側の離型紙
２１  上側の離型紙
２２  下側の摘み片
２３  上側の摘み片
２４  粘着シート
２５  下側の摘み片の先端エッジ
２６  上側の摘み片の先端エッジ
３０  下側の離型紙
３１  上側の離型紙
３２  下側の摘み片
３３  上側の摘み片
３５  下側の摘み片の先端エッジ
３６  上側の摘み片の先端エッジ
４０  下側の離型紙
４１  上側の離型紙
４２  下側の摘み片
４３  上側の摘み片
４５  下側の摘み片の先端エッジ
４６  上側の摘み片の先端エッジ
【図１】
0003889561.tif 000002
【図２】
0003889561.tif 000003
【図３】
0003889561.tif 000004
【図４】
0003889561.tif 000005
【図５】
0003889561.tif 000006
【図６】
0003889561.tif 000007
【図７】
0003889561.tif 000008